(57)【特許請求の範囲】
【請求項１】
屋根上に設置し、家屋の頂付近の野路板を開口して家屋内部の空気を排出する換気棟であって、
前記開口部から排出された空気を、換気棟内の頂頭部から左右の軒方向にかけて傾斜して形成されている通気路を通って、その先に形成される排気孔から屋外に排出しつつ、雨水などを家屋内に侵入させないようにする通風機構を有し、
前記通気路内には、屋外から雨水の浸入を防ぐ遮断壁を有し、
前記遮断壁は、通気路内の空気を少なくとも直線的に通すことができる直線通風部分が形成されるように配置されており、
前記排気孔の外側には上方に向けて突出するデフレクターを有し、このデフレクターの上端は通気路の上部外壁傾斜面における下端と水平方向の延長線よりも高く形成されていることを特徴とする露出型換気棟。
【請求項２】
通気路は上部外壁部材と下部外壁部材と、
下部外壁部材に取り付けられていて上方向に突出する１又は２以上の下部遮断壁と、上部外壁部材に取り付けられていて下方向に突出する１又は２以上の上部遮断壁と、
上部外壁部材と下部外壁部材の両方に取り付けられる支持部材とからなっており、
下部遮断壁の上端と上部遮断壁の下端との間に、頂頭部から排気孔にかけて直線的に空気を通すことができる直線通風部分が形成される間隔を有するように配置されることを特徴とする請求項１記載の露出型換気棟。
【請求項３】
デフレクターは、露出型換気棟の両側面下部に取り付けられ、排気孔の外側位置において水平方向に屈曲して受け部を形成し、通気路上の外壁延長線に対して直交するように上方向に突出して形成されていることを特徴とする請求項１又は２のいずれかに記載の露出型換気棟。
【発明の詳細な説明】
【技術分野】
【０００１】
本発明の換気棟構造は、家屋などの建築物の頂頭付近に取り付ける換気棟に関する発明であって、建築物の頂頭付近に開口部を開けて換気棟を通じて、家屋内部の空気を排出して建造物内の空気を換気する換気棟の構造に関するものである。
【背景技術】
【０００２】
換気棟には、厚物瓦用換気棟と露出型換気棟がある。前者の厚物瓦用換気棟は主に粘度瓦や厚物スレート瓦に使用されるもので、棟瓦の内部に設置される。後者の露出型換気棟は主に薄物スレート瓦に使用されるもので、換気棟が屋根から露出して屋根の棟瓦を兼ねた構造となる。
ともに建造物の屋内の空気を排出しつつ外部からの雨水を屋内に入れないようにすることでは共通するものの、厚物瓦用換気棟は換気棟の上に棟瓦が取り付けられることで周辺の空気の流れが変化するのに対し、露出型の換気棟は既存の棟瓦にあわせて取り付けるのではなく、自由に大きさを決定することができるため、一般には厚物瓦用換気棟に比べて大きな開口面積を取ることができる等、それぞれ特異性を備えている。
【０００３】
露出型換気棟の従来技術として、排気通路に対向する二つの面から互い違いに延び出させた邪魔板を有し、換気棟から空気が排出されるようにした技術が存在する。この場合、カバー体が換気棟の上方から下方へと形成されており、上からの雨水などを防ぐために取り付けられたものであって、ベンチュリー効果による作用を取り入れたものではなかった。（例えば特許文献１参照）
また、厚物瓦用換気棟の従来技術として、特願２００２−８５３０５号の技術があるが、この場合にはデフレクターである防風雨壁を厚物瓦用換気棟の下方から上方へと向けて形成している。このデフレクターは防風雨壁にあたる風が厚物瓦の上側を抜けてベンチュリー効果を発揮させつつ、防風雨壁と排気孔との間の第２排気孔から抜け上がる風を利用して換気させるものである。
【０００４】
しかし、従来の露出型換気棟では邪魔板や上方から下方にかけてのカバー体によって外からの雨水の浸入を防ぐことはできるが、効率のよい換気という面では不十分であった。
厚物瓦用換気棟の場合においても、ベンチュリー効果を利用することで換気させているが、棟瓦の内側に換気棟が取り付けられるという内蔵型の構造であるために、棟瓦のサイズに換気棟のサイズが制限されてしまい、広い通気路や大きなデフレクターをもつことができなかった。その他、防風雨壁の上端を棟瓦の下端まで延長しておかなければならず、防風雨壁が外観上の美観を損ねており、なおかつベンチュリー効果を最も効率よく発揮させ得る形態とはなっていなかった。
【０００５】
【特許文献１】特開２００１−２５４４９２号公報（第４−５頁、第１−２図）
【発明の開示】
【発明が解決しようとする課題】
【０００６】
そこで、ベンチュリー効果を最大限に発揮するために、換気効率を上げることで換気がよりスムーズに進むようにしつつ雨水の浸入を防止する換気棟が望まれていた。
【課題を解決するための手段】
【０００７】
本発明の換気棟構造は、屋根上に設置し、家屋の頂付近の野路板を開口して家屋内部の空気を排出する換気棟であって、前記開口部から排出された空気を、換気棟内の頂頭部から左右の軒方向にかけて傾斜して形成されている通気路を通って、その先に形成される排気孔から屋外に排出しつつ、雨水などを家屋内に侵入させないようにする通風機構を有し、前記通気路内には、屋外から雨水の浸入を防ぐ遮断壁を有し、前記遮断壁は、通気路内の空気を少なくとも直線的に通すことができる直線通風部分が形成されるように配置されており、前記排気孔の外側には上方に向けて突出するデフレクターを有し、このデフレクターの上端は通気路の上部外壁傾斜面における下端と水平方向の延長線よりも高く形成されていることこと特徴とする露出型換気棟である。
【０００８】
また通気路は上部外壁部材と下部外壁部材と、下部外壁部材に取り付けられていて上方向に突出する１又は２以上の下部遮断壁と、上部外壁部材に取り付けられていて下方向に突出する１又は２以上の上部遮断壁と、
上部外壁部材と下部外壁部材の両方に取り付けられる支持部材とからなっており、下部遮断壁の上端と上部遮断壁の下端との間に、頂頭部から排気孔にかけて直線的に空気を通すことができる直線通風部分が形成される間隔を有するように配置されることことが好ましい。
【０００９】
また、デフレクターは、露出型換気棟の両側面下部に取り付けられ、排気孔の外側位置において水平方向に屈曲して受け部を形成し、通気路上の外壁延長線に対して直交するように上方向に突出して形成されていることが好ましい。
【発明の効果】
【００１０】
請求項１又は２に記載の発明により、家屋内の空気が通気路を通じて排出されやすくなり、なおかつ、換気棟を通じて雨水などが開口部から家屋内に浸入しない。
すなわち、厚物瓦用換気棟の防風雨壁よりはるかに大きく設置されたデフレクターに当たった外気がデフレクターに沿って上昇しつつ上部外壁部材に沿って流れるようになる。このとき、排気孔の外側周辺の圧力よりも上部外壁部材へと外気が流れる部分、すなわち上部外壁部材とデフレクターとの間の圧力が低くなるために、デフレクターに外気が当たると圧力の影響で排気孔周辺の空気が外部に抜けていくことが促進される。
その上、通気路内の遮断壁には直線的に空気を通す箇所があることで、家屋内の空気が排出されやすくなり、排気孔周辺の空気が外部と圧力の差により外部へ排出されるとともに、通気路内の空気が通りやすくなった直線状の通路を通って排出される。
つまり、厚物瓦用の換気棟技術と異なり、厚物瓦用換気棟の防風雨壁よりもはるかに大きくデフレクターを設置することでベンチュリー効果を増大させており、なおかつ受け部の下面を開孔しないことで、上部外壁部材とデフレクターとの間の圧力と排気孔周辺の圧力の差をうまく使って受け部周辺の空気を排出し、それに伴い通気路内の空気を通りやすくして換気効率を上げ、外部からの雨風の浸入を防ぐものである。
【００１１】
請求項３に記載の発明によって、デフレクターが露出型換気棟の下部から形成されていることにより、デフレクターの表面積を厚物瓦用換気棟よりも大きくとることができ、デフレクターから上部外壁部材に流れる外気を増やし、上部外壁部材とデフレクターとの間の圧力と排気孔周辺の圧力との差をより大きくすることができる。これにより通気路内の空気を外部に排出し易くなる。
しかもデフレクターが換気棟の表面高さよりも、あまり飛び出ていないことで、全体的に美観が良くなり、請求項３記載の発明によって、外観上優れた形態であり、かつ、デフレクターの表面積を大きくすることができる。
【発明を実施するための最良の形態】
【００１２】
本発明の実施の一例を図面に沿って説明する。
図１は本発明の露出型換気棟の一例を示す縦断面図、図２〜図７は図１に示す露出型換気棟１の各部品を示す斜視図で、図８は各部品の組み立て図である。図９〜図１１は露出型換気棟の換気状態を示す縦断面図であり、図１２、図１３は厚物瓦用換気棟を示すものである。
【００１３】
換気棟とは、建物や家屋の屋根裏部分の空気を換気するために設けられるものである。換気棟ができるまでは、屋根裏部分の空気を十分に換気することができず、熱気、湿気、結露などが屋根裏部分にたまることが多かった。この熱気などが残っているため、建物や家屋内で冷暖房機により冷暖房を行なっても、その効果を半減させていた。
このような場合において、上方にたまりやすい熱気などの空気を屋根の頂上部分に開けた開口部分から換気することにより、屋根裏の熱気、湿気、結露などを取り除くことができ、建物や家屋の室内を快適な状態にし、建物内の冷暖房機による冷暖房の効果を十分に発揮することができる。
しかも、昨今建築資材として使用されていたホルムアルデヒドなどの有害物質の被害が問題となっているが、換気棟による換気を行なえば、これらの排出を可能とすることができる。
【００１４】
換気棟には厚物瓦用換気棟１０１と露出型換気棟１(本発明)とがある。
厚物瓦用換気棟１０１は、図１２に示すように、厚物瓦１０２を使用している屋根に取り付けられるものである。この厚物瓦用換気棟１０１は、厚物瓦１０２を使用するため、開口部１０３を開けたのちに棟木１０４を配して延長部材１０５などを取り付け、最後に棟瓦１０６を厚物瓦用換気棟１０１の上に取り付ける。この厚物瓦用換気棟１０１は棟瓦１０６の内方に隠れるように配置されており、外観として目立たないものである。
【００１５】
露出型換気棟１は、厚物瓦用換気棟１０１とは異なり、平板瓦の屋根瓦２に使用されるものである。この場合、棟瓦や棟木を用いずに取り付けることができるため、棟瓦の内方に取り付けられる厚物瓦用換気棟に比べ、換気棟を屋根の頂上部に露出して配置するところから露出型換気棟１と呼ばれている。
厚物瓦用換気棟１０１が棟瓦１０６などにより開口部や換気棟自体の大きさやサイズが制限されるのに対し、本発明による露出型換気棟１はそのような制限はなく、自由にそのサイズや大きさを変更することができ、実際に一般的に厚物瓦用換気棟１０１よりも大きなサイズの露出型換気棟１が使用されている。
【００１６】
本発明の露出型換気棟１の構造を説明する。
ここに示す露出型換気棟１は、図１に示すように、上部外壁部材３、下部外壁部材４、上部遮断壁部材５、下部遮断壁部材６、支持部材７、デフレクター８などを組み合わせて形成される。
これらの部材の材質は、軽くかつ風雨などの衝撃に強い材質のものが好ましく、例えば、ガルバニウム鋼板を採用することができる。
【００１７】
上部外壁部材３を図２に示す。上部外壁部材３は屋根瓦の役割を果たしている。図２にあるように上部外壁部材３は左右方向に傾斜している傾斜面３１を有し、この傾斜面３１に雨水が沿って流れるように形成されている。傾斜面３１の端部は屈曲させてあって、遮断壁３２が形成されている。遮断壁３２の下方は開けられており、この開けられた部分が通風機構内部の空気を排出する排気孔１０となる。傾斜面３１にはリベット孔３４が開けられており、ここでリベット固定することにより、支持部材７などと固定することができる。
図１に示すように、傾斜面３１の内側には結露防止材３３が取り付けられている。
【００１８】
下部外壁部材４を図３に示す。下部外壁部材４は図１に示すように薄物用スレート瓦による屋根瓦２に設置される。前記上部外壁部材３とこの下部外壁部材４とが所定の間隔をおいて上下に配置されており、その間を空気が通る通気路９として利用する。下部外壁部材４に軒方向に向けて傾斜面４１が傾斜させて延び出されてあり、傾斜面４１の中央付近には下部外壁開孔部４２が形成されている。この下部外壁開孔部４２から家屋内の空気を換気棟内に通すことができる。傾斜面４１にも支持部材７などを固定するためのリベット孔４６が開けられている。下部外壁部材４の傾斜面４１の下端から垂直下方に屈曲させてデフレクター取付面４３が連設されている。デフレクター取付面４３にはデフレクター部８を螺着固定するためのネジ孔４７が開けられている。そして、軒方向に傾斜して屋根瓦水切部４４が形成されている。屋根瓦水切部４４はその裏側において二枚重ねとなるように屈曲させてカエシ４５が形成されている。このカエシ４５により、使用者や取付施工者が怪我をすることがなくなり、しかも屋根瓦に雨が打ちつけられていても、屋根瓦と屋根瓦水切部４４との隙間に雨水が浸入することを防いでいる。
【００１９】
上部遮断壁部材５を図４に示す。上部遮断壁部材５は上部外壁部材３と下部外壁部材４との間に形成される通気路９の内部に取り付けられる。
上部遮断壁部材５には、外壁取付面５１から垂直下方に屈曲された遮断壁５２が形成されている。遮断壁５２は通気路９に雨水などが浸入してきた家屋内にまで達しないように邪魔板として用いられる。外壁取付面５１には上部外壁部材面３と固定するためのリベット孔５３が開けられており、このリベット孔５３にリベット１３を通すことにより、上部遮断壁部材５を上部外壁部材３に固定することができる。
【００２０】
下部遮断壁部材６を図５に示す。下部遮断壁部材６は前記通気路９内の下部に取り付けられ、特に、家屋内の開口部１１と連通する付近に配置される。
下部遮断壁部材６には、外壁取付面６１の左右両側方から垂直上方に屈曲された遮断壁６２と開口部遮断壁６３とが形成されている。図５において右側に現れる遮断壁６２は上部遮断壁部材５の遮断壁５２と同様に雨水の浸入を防止するためのもので、また図５において、左側に現れる開口部遮断壁６３の上端にはカエシ６４を形成して、特に開口部１１内に雨水が浸入しないようにしている。また、外壁取付面６１には下部外壁部材４と固定するためのリベット孔６５が開けられており、このリベット孔６５にリベット１３を通すことにより、下部遮断壁部材６を下部外壁部材４に固定することができる。
【００２１】
支持部材７を図６に示す。支持部材７は上部外壁部材３と下部外壁部材４とが所定の間隔を保ちえるように支持するもので、これによって両外壁部材３、４間を通気路９とすることができる。支持部材７の中央である上部外壁取付面７１の左右両側方から垂直下方に屈曲させて支持面７３、７３が形成されている。そして、両支持面７３、７３をさらに直角状に屈曲させて下部外壁取付面７４、７４としてある。上部外壁取付面７１と下部外壁取付面７４、７４には、上部外壁部材３と下部外壁部材４とにそれぞれを取り付けて固定するためのリベット孔７５が開けられており、このリベット孔７５にリベット１３を通すことにより、支持部材７を上部外壁部材３と下部外壁部材４とに固定することができる。
【００２２】
デフレクター８を図７に示す。デフレクター８は換気棟の左右両側から暴風雨などが直接混入しないように防御するためのものである。デフレクター８は、下部外壁部材４の垂直方向の壁面に取り付け得る取付面８１の上端から直角方向であってかつ水平状に屈曲させて受け部形成面８２としてあり、さらにこの受け部形成面８２の端縁から斜め上方に屈曲させてデフレクター部８３を形成している。前記取付面８１には下部外壁部材４のデフレクター取付面４３とネジ止めするためのネジ孔８５が開けられており、このネジ孔８５にネジを挿通させることによりデフレクター８を下部外壁部材４に螺着固定することができる。受部形成面８２により、受け部が形成される。受け部は排気孔１０に雨水などがたまらないように形成される部分であり、雨水を流すための微細な穴などが開孔されていてもよい。デフレクター部８３の先端は施工者などの怪我を防止するためにカエシ８４が形成されている。
【００２３】
デフレクター８の先端は、上部外壁部材３の傾斜面３１の最下端における水平線よりも高くなるように形成されている。
これにより、デフレクターにあたった空気が排気孔１０の方向へ流れずに、上部外壁部材３の傾斜面３１に沿って流れる。
従来のデフレクターは図１２において示すように、下部外壁部材をそのまま延長して形成されているのに対し、ここに示すデフレクター８は下部外壁部材４のデフレクター取付面４３に固定することにより形成されるものであることから、従来の換気棟におけるデフレクターに比べて遮断面積が増大している。詳細は後述するが、これによりベンチュリー効果を増大させることができる。
【００２４】
図８に、上部外壁部材３、下部外壁部材４、上部遮断壁部材５、下部遮断壁部材６、支持部材７、デフレクター８を組み合わせる状態を示している。
図８に示すように、上部外壁部材３の内面に上部遮断壁部材５の外壁取付面５１を、さらに、その下面に支持部材７の上部外壁取付面７１を重ね合わせてリベット１３によりそれぞれを固定している。
また、下部外壁部材４の上面に下部遮断壁部材６の外壁取付面６１を、さらに、その上面に支持部材７の下部外壁取付面７４を配してリベット１３による固定をしている。また、支持部材の右側の下部外壁取付面７４を重ね合わせてリベット１３によりそれぞれを固定している。
このように、ここでは、上部外壁部材３と下部外壁部材４との間に支持部材７を配置することで両者間に通気路９が形成されるように固定している。このように支持部材７を配置することで、上部外壁部材３と下部外壁部材４との取り付けが容易となり、簡単な部材の取付で通気路９を形成することができる。
そして、下部外壁部材４のデフレクター取付面４３にデフレクター８の取付面８１を配して、ネジ１４により螺着固定している。
【００２５】
次にこの露出型換気棟１を屋根へどのようにして取り付けるかについて説明する。
図１は、この露出型換気棟１を家屋の屋根に取り付けた状態を示しており、図１４は家屋の平板瓦屋根を開口した状態を示している。開口部１１は家屋の野地板１５の屋根頂部を切り欠いて開口する。開口部１１の面積は家屋の屋根の性質や天井の面積、使用する換気棟の種類などによって様々である。
【００２６】
図１に示すように、開口した野地板１５と屋根瓦２との間には、図１において図面符合１６で示すように、ルーフィングが取り付けられている。このルーフィング１６は野地板１５に雨水がしみ込まないように、野地板１５や屋根裏に水が浸入することを防いでいる。そしてこのルーフィング１６と屋根瓦の間に、図１に示すように捨水切１７を挟持させる。捨水切１７はルーフィング１６と同じように軒方向に傾斜する面から垂直方に屈曲させて開口部１１の左右両側方に相当する部分を上方向に延長させて形成されており、その上端部にはカエシが形成されている。これにより野地板１５やルーフィング１６などを経由して開口部１１へ浸入しようとする雨水を防ぐことができる。
なお、図示しないが、捨水切１７の取り付けに際して防水テープを使用すると、より防水性を高めることができる。
また、捨水切１７の上端部にあるカエシと下部外壁部材４の下面との間にはシーリング材１８が配され、このシーリング材１８により、捨水切１７と露出型換気棟１本体との間から内部に水が浸入することを防ぐことができる。
【００２７】
露出型換気棟本体１を家屋に取り付ける場合、図１において図面符号１９で示す固定部材を用いている。固定部材１９は屋根瓦２に接する面と、下部外壁部材４のデフレクター取付面４３の内側に接する面とからなり、ネジ１４により、それぞれの面が屋根瓦２の上面と下部外壁部材４のデフレクター取付面４３の内面とに螺着固定される。
すなわち、図１に示す通り、下部外壁部材４との取り付けは、そのデフレクター取付面４３に固定部材１９との二つの面のうちの一方を当接するとともに、デフレクター取付面４３にデフレクター８の取付面８１を当接させ、それぞれの部分を互いにネジ１４により螺着固定する。
また、屋根瓦２との取り付けは、固定部材１９の二つの面のうちのもう一方の面を屋根瓦２、捨水切１７、ルーフィング１６、野地板１５にまでネジ１４をねじ込んでそれぞれの部分を互いに螺着固定する。
なお、上部外壁部材３の頂付近である傾斜面３１の内側には結露防止材３３が取り付けられている。これは、家屋内の開口部１１から空気が上昇して上部外壁部材３の頂頭付近に達したとき、その内面部分で結露しないように配置されるものである。
【００２８】
次に、露出型換気棟１の機能について説明する。この露出型換気棟１を用いると、図９に示すように家屋内の空気Ａを開口部１１から通気路９を経て外部に排出することができる。
すなわち、家屋内の熱気や湿気などは開口部１１から上方に上昇して換気棟内に入り、結露防止材３３が取り付けられている頂頭２０あたりに充満する。そして、その空気Ａは頂頭２０付近から通気路９の内部を通り、排気孔１０から換気棟の外部に排出される。
【００２９】
デフレクター８付近での外気Ｂの流れと排出孔周辺での空気Ｃの流れを図１０に示す。本露出型換気棟１ではベンチュリー効果を利用している。
つまり、外気Ｂは図１０に示すように、デフレクター８に当たり、そのままデフレクター８に沿って上昇し、その上端を超えて上部外壁部材３の傾斜面３１に沿うように上昇していく。
このとき、外気Ｂの流れにより、排出孔１０周辺の空気Ｃの圧力よりもデフレクター上端付近の外気の圧力が小さくなり、排出孔１０周辺の空気Ｃがデフレクター上端方向へ流れるようになる。
このように、排気孔１０付近の空気Ｃがデフレクター上端方向に流れることで、通気路９内の空気、ひいては家屋内の空気Ａを屋外に排出させることができる。このデフレクター付近での外気Ｂの流れが周辺の圧力を下げ、通気路９内の空気を排出させるベンチュリー効果を利用して家屋内の空気を屋外に排出させることができる。
【００３０】
これに対して、特願２００２−８５３０５号における従来技術では、図１３に示すように、デフレクター１０８によるベンチュリー効果により、デフレクター１０８に当たる外気Ｂを上方に押し上げるとともに、受け部１２の下面に形成されている第２通風孔１０７により、下面から上方に抜ける空気の流れＥを生じさせ、それらの流れにより通気路１０５内部の空気Ａを屋外に排出させている。
一方、本発明の露出型換気棟１では、露出型の換気棟であるために棟瓦１０６の抵抗がなく、通気路９上の外壁をスムーズに空気Ｂが流れ、デフレクター８の遮断面積を大きく形成しているから、ベンチュリー効果を増大させている。
つまり本発明の露出型換気棟１がベンチュリー効果を増大させることには、デフレクター８の大きさが関係している。
【００３１】
ここで、そもそも従来の厚物瓦用換気棟１０１と本発明の露出型換気棟１の大きさは全く違うことを説明する。
厚物瓦用換気棟１０１と本発明の露出型換気棟１との大きさの違いを図１５に示す。図１５はほぼ同じ縮尺で示している。(a)は従来の防風雨壁１０８を設けた厚物瓦用換気棟１０１であり、(b)は本発明のデフレクター８を設けた露出型換気棟１である。
従来の厚物瓦用換気棟１０１は棟瓦１０６に内蔵される構造であるため、延長部分１０５や開口部１０３の面積、大きさは一定の制限があった。しかし、本発明の露出型換気棟１はそのような制限はなく、一般的に開口部１１や通気路９を厚物瓦用換気棟１０１よりも大きく形成されている。
具体的には、厚物瓦用換気棟１０１の延長部分１０５の内部の高さＬ１Ａは約１５ミリメートルであり、露出型換気棟１の通気路９の高さＬ１Ｂは約４０ミリメートルである。換気棟自体の長さは屋根の長さに対応するために違いはなく、１０００ミリメートルのものや５００ミリメートルのものなどがある。このように通風箇所の表面積だけでも露出型換気棟１の方が厚物瓦用換気棟１０１よりも約２．５倍にもなる。
【００３２】
同様に、厚物瓦用換気棟１０１の防風雨壁１０８と露出型換気棟１のデフレクター８の大きさも全く異なる。
厚物瓦用換気棟１０１の防風雨壁１０８は、下部外壁部材が延長されて屈曲して形成される。第１回目の屈曲箇所から防風雨壁１０８の高さＬ２Ａは約３０ミリメートルである。その一方、露出型換気棟１のデフレクター８は、露出型換気棟１が厚物瓦用換気棟１０１に比べて大型であるだけではい。すでに上述しているように屋根瓦２との設置面からデフレクター８が取り付けられており、厚物瓦用換気棟の防風雨壁１０８よりもデフレクター８の高さＬ２Ｂは約６０ミリメートルにもなるほど大きくなっている。
なお、換気棟の長さは上記に示すように、一定のものであるからデフレクター８の表面積は厚物瓦用換気棟１０１の約２倍にもなる。
【００３３】
空気力学によると、流体が物体に衝突する場合の抵抗は物体の面積に比例し、速度の二乗に比例する。これによりデフレクター８を従来よりもはるかに大きくすることにより、デフレクター８にあたった風が上部外壁部材３の傾斜面３１に沿うように吹きあがる力を、従来の厚物瓦用換気棟１０１のものよりもはるかに大きくすることができる。
これにより、ベンチュリー効果による吸出し効果も、従来の厚物瓦用換気棟１０１のものよりもはるかに大きくすることができる。
【００３４】
また、従来の場合の第２通風孔１０７を有しない形態で通気路内の換気効率を上げることができ、換気をより促進させるとともに雨水の浸入を防ぐことができる。
従来の厚物瓦用換気棟１０１では、防風雨壁１０８によるベンチュリー効果もあったが、第２通風孔１０７から入ってくる風があったために、ベンチュリー効果が延長部分１０５内の空気を排出するために効率的に作用されていなかった。
本発明の露出型換気棟１では空気が入ってくるような孔は形成されておらず、デフレクター８によるベンチュリー効果を最大限に利用して空気の換気を行なうことができる。
【００３５】
しかも、図１１に示すように、通気路９内の遮断壁３２、５２、６２、６３には、頂頭付近から排気孔１０にかけて、その先端が各々同一直線上に位置していない。これは少なくとも直線的に空気が抜ける直線通風部分２１を有することを意味する。従来の場合には、外部から水が入ることを防止するために、遮断壁の先端を互い違いにして延び出させていたため、直線通風部分は全く存在していなかった。
この直線通風部分の有無が両者の構造上の相違点の１つである。
【００３６】
このように、通気路９内に直線通風部分２１を設けることで通気路内の通風性をよくしつつ、大幅に拡大されたデフレクターによってベンチュリー効果を高め、これを厚物瓦用換気棟１０１の第２排出孔１０７をなくすことによりベンチュリー効果を最大限に利用している。
このようにして、露出型換気棟１の空気の排出を促すことで、外部からの水が入ることをなくすとともに、換気効率を大幅に上げることができる。すなわち、本発明では、デフレクターのベンチュリー効果を最大限に発揮させて換気効率を大幅に向上させ、その排出量を大幅に増やすことにより、雨水などの浸入を防ぐことができる。
逆に、雨水Ｄが排気孔１０から通気路９内に浸入しようとしても、前記ベンチュリー効果により空気の排出量が大幅に増大していることもあって、通気路９内にある遮断壁３２、５２、６２、６３に阻まれ、通気路内は勿論開口部１１から家屋内に雨水Ｄが浸入することを防止することができる。
【産業上の利用可能性】
【００３７】
本発明により、薄物用スレート瓦による屋根瓦に取り付けることができる露出型の換気棟として、換気効率を上げ、なおかつ雨水の浸入を防ぐことができる換気棟の構造を提供することができる。
【図面の簡単な説明】
【００３８】
【図１】露出型換気棟の実施の一例を示す縦断面図である。
【図２】この露出型換気棟に用いられる上部外壁部材の一例を示す斜視図である。
【図３】この露出型換気棟に用いられる下部外壁部材の一例を示す斜視図である。
【図４】この露出型換気棟に用いられる上部遮断壁部材の一例を示す斜視図である。
【図５】この露出型換気棟に用いられる下部遮断壁部材の一例を示す斜視図である。
【図６】この露出型換気棟に用いられる支持部材の一例を示す斜視図である。
【図７】この露出型換気棟に用いられるデフレクター部の一例を示す斜視図である。
【図８】この露出型換気棟の各部品を組み立てる場合の一例を示す斜視図である。
【図９】露出型換気棟の開口部から通気路を通って空気が排出される一例を示す縦断面図である。
【図１０】デフレクター付近での外気の流れと排出孔付近での空気の流れの一例を示す断面図である。
【図１１】通路内での空気の流れの一例を示す断面図である。
【図１２】従来の厚物瓦用換気棟の一例を示す断面正面図である。
【図１３】従来の厚物瓦用換気棟での空気の流れの一例を示す断面図である。
【図１４】平板瓦の屋根を開口した状態の一例を示す斜視図である。
【図１５】従来の厚物瓦用換気棟と本発明の露出型換気棟との大きさの違いを示す断面図である。
【符号の説明】
【００３９】
１…露出型換気棟、２…薄物用スレート瓦の屋根瓦、３…上部外壁部材、４…下部外壁部材、５…上部遮断壁部材、６…下部遮断壁部材、７…支持部材、８…デフレクター、９…通気路、１０…排気孔、１１…開口部、１３…リベット、１４…ネジ、１５…野地板、１６…ルーフィング、１７…捨水切、１８…シーリング材、１９…固定部材、２０…頂頭部分、２１…直線通風部分、
３１…傾斜面、３２…遮断壁、３３…結露防止材、３４…リベット孔、４１…傾斜面、４２…下部外壁開孔部、４３…デフレクター取付面、４４…屋根瓦水切部、４５…カエシ、４６…リベット孔、４７…ネジ孔、５１…外壁取付面、５２…遮断壁、５３…リベット孔、６１…外壁取付面、６２…遮断壁、６３…開口部遮断壁、６４…カエシ、６５…リベット孔、７１…上部外壁取付面、７３…支持面、７４…下部外壁取付面、７５…リベット孔、８１…取付面、８２…受け部形成面、８３…デフレクター部、８４…カエシ、８５…ネジ孔、
１０１…厚物瓦用換気棟、１０２…厚物瓦、１０３…開口部、１０４…棟木、１０５…通気路、１０６…棟瓦、１０７…第２通風孔、１０８…デフレクター
【図１】
0003713029.tif 000002
【図２】
0003713029.tif 000003
【図３】
0003713029.tif 000004
【図４】
0003713029.tif 000005
【図５】
0003713029.tif 000006
【図６】
0003713029.tif 000007
【図７】
0003713029.tif 000008
【図８】
0003713029.tif 000009
【図９】
0003713029.tif 000010
【図１０】
0003713029.tif 000011
【図１１】
0003713029.tif 000012
【図１２】
0003713029.tif 000013
【図１３】
0003713029.tif 000014
【図１４】
0003713029.tif 000015
【図１５】
0003713029.tif 000016